(57)【要約】【課題】目元や口元などの狭い部分をマッサージするのに適した美容器を提供すること。【解決手段】美容器１は、ハンドル１０の第１端部１１に、一対のローラ２０を含む複数のローラが備えられている。一対のローラ２０は、互いに離隔してそれぞれの軸線Ｌ１、Ｌ２を中心に回転可能に支持されている。軸線Ｌ１、Ｌ２はハンドル１０の中心線Ｌ０に対して第１端部１１と反対側の第２端部１２から第１端部１１に向かう方向Ｙ１に傾斜するように配設されている。そして、一対のローラ２０の直径ｄは１５〜２０ｍｍであり、一対のローラ２０の外周面２１ａ、２１ｂ間の最短距離Ｗは７ｍｍ以上８ｍｍ未満であり、一対のローラ２０の互いの軸線Ｌ１、Ｌ２のなす角βは７０〜８０°である。【選択図】図６
2018086358.tif 000002
【特許請求の範囲】
【請求項１】
ハンドルと、
該ハンドルの第１端部に互いに離隔してそれぞれの軸線を中心に回転可能に支持されているとともに、上記軸線が上記ハンドルの中心線に対して上記第１端部と反対側の第２端部から上記第１端部に向かう方向に傾斜するように配設されている一対のローラを含む複数のローラと、
を備え、
上記一対のローラの直径が１５〜２０ｍｍであるとともに、上記一対のローラの外周面間の最短距離が７ｍｍ以上８ｍｍ未満であることを特徴とする美容器。
【発明の詳細な説明】
【技術分野】
【０００１】
本発明は、美容器に関する。
【背景技術】
【０００２】
従来、肌をローラによって押圧等してマッサージ効果を奏する美容器が種々提案されている。このような美容器の例として、特許文献１には、二股に分かれた先端部を有するハンドルの当該先端部に一対のローラが軸回転可能に取り付けられたものが開示されている。かかる美容器は、一対のローラを肌に接触させた状態で往復動作させることにより、肌の押圧とともに肌の摘み上げがなされてマッサージ効果を奏する。
【先行技術文献】
【特許文献】
【０００３】
【特許文献１】特開２０１３−１０３０８６号公報
【発明の概要】
【発明が解決しようとする課題】
【０００４】
特許文献１に開示されている美容器の適用範囲は顔や腕などの広い範囲に亘っているが、目元や口元などの狭い部分の肌を十分に摘み上げることは困難であった。そのため、これらの部分を十分にマッサージするには改善の余地があった。
【０００５】
本発明は、かかる背景に鑑みてなされたもので、目元や口元などの狭い部分をマッサージするのに適した美容器を提供しようとするものである。
【課題を解決するための手段】
【０００６】
本発明の一の態様は、ハンドルと、
該ハンドルの第１端部に互いに離隔してそれぞれの軸線を中心に回転可能に支持されているとともに、上記軸線が上記ハンドルの中心線に対して上記第１端部と反対側の第２端部から上記第１端部に向かう方向に傾斜するように配設されている一対のローラを含む複数のローラと、
を備え、
上記一対のローラの直径が１５〜２０ｍｍであるとともに、上記一対のローラの外周面間の最短距離が７ｍｍ以上８ｍｍ未満であることを特徴とする美容器にある。
【発明の効果】
【０００７】
上記美容器において、上記一対のローラの直径が１５〜２０ｍｍであること（第１条件）及び上記一対のローラの外周面間の最短距離が７ｍｍ以上８ｍｍ未満であること（第２条件）の両方が満たされていることにより、上記一対のローラは目元や口元などの狭い部分の肌を過剰とならない程度に確実に摘み上げるとともに、効果的に押圧することができる。その結果、これらの部分を十分にマッサージすることができる。すなわち、上記第１条件及び第２条件の両方が満たされることによってはじめて、上記部分のマッサージ効果が最大限発揮されることとなる。
【０００８】
以上のごとく、本発明によれば、目元や口元などの狭い部分をマッサージするのに適した美容器を提供することができる。
【図面の簡単な説明】
【０００９】
【図１】実施例１における、美容器の正面図。
【図２】実施例１における、美容器の右側面図。
【図３】実施例１における、美容器の背面図。
【図４】実施例１における、美容器の分解斜視図。
【図５】図１における、Ｖ-Ｖ線位置断面図。
【図６】実施例１における、一対のローラの両軸線を含む平面の法線方向から見た斜視図。
【図７】実施例１における、美容器の使用状態を示す正面図。
【発明を実施するための形態】
【００１０】
上記美容器は、上記一対のローラの直径が１５〜２０ｍｍであることを第１条件としているが、一対のローラの直径は１８〜１９ｍｍであることが好ましい。これにより、上記第２条件が具備される場合において、目元や口元などの狭い部分の肌の摘み上げ効果が適度に奏されて、マッサージ効果が一層向上する。
【００１１】
ローラの直径が１５ｍｍより小さい場合には、押圧効果及び摘み上げ効果を発現できる肌の範囲が過度に狭くなる。そのため、この場合には、上記第２条件が具備される場合であっても、目元や口元などの狭い部分のマッサージ効果は十分には得られない。
【００１２】
一方、ローラの直径が２０ｍｍより大きい場合には、目元や口元などの狭い部分に対してローラの大きさが相対的に大きいことから、これらの部分の押圧や摘み上げが難しくなる。そのため、この場合には、上記第２条件が具備される場合であっても、これらの部分をピンポイントにマッサージすることが困難である。
【００１３】
上記美容器は、上記一対のローラの外周面間の最短距離は７ｍｍ以上８ｍｍ未満であることを上記第２条件としている。これにより、上記第１条件が具備される場合において、一対のローラの外周面間の距離が広すぎたり狭すぎたりせず、目元や口元などの狭い部分を摘み上げるのに最適な範囲の距離となる。その結果、これらの部分の摘み上げが効果的に行われる。
【００１４】
一対のローラの外周面間の最短距離が７ｍｍに満たない場合には、肌に対して摘み上げ効果が強く作用し過ぎる。そのため、この場合には、上記第１条件が具備される場合であっても、目元や口元などの敏感な部分に使用するのに適さない。
【００１５】
一方、一対のローラの外周面間の最短距離が８ｍｍ以上である場合には、上記第１条件が具備される場合であっても、目元や口元などの狭い部分の肌をピンポイントに摘み上げることが難しくなる。そのため、これらの部分をピンポイントにマッサージすることが困難である。
【００１６】
上記一対のローラの互いの軸線のなす角、すなわち、一対のローラの開き角度は７０〜８０°であることが好ましい。これにより、上記第１条件及び上記第２条件が具備される場合において、美容器を肌に接触させて往復運動させることで、目元や口元などの狭い部分の肌の摘み上げ効果が適度に奏される。その結果、マッサージ効果がより効果的に奏される。
【００１７】
上記一対のローラの開き角度が７０°を下回る場合には、肌に対する摘み上げ効果が強く作用し過ぎる傾向がある。そのため、この場合には、上記第１条件及び上記第２条件が具備される場合であっても、目元や口元などの敏感な部分に使用するのに適さない。
【００１８】
一方、上記一対のローラの開き角度が８０°を上回る場合には、上記第１条件及び上記第２条件が具備される場合であっても、目元や口元などの狭い部分の肌をピンポイントに摘み上げることが難しくなる。そのため、これらの部分をピンポイントにマッサージすることが困難である。
【００１９】
上記一対のローラの互いの軸線のなす角、すなわち、一対のローラの開き角度は、７４〜７６°であることがさらに好ましい。これにより、上記第１条件及び上記第２条件が具備される場合において、目元や口元などの狭い部分の肌の摘み上げ効果が一層適度に奏されるため、マッサージ効果が一層効果的に奏される。
【００２０】
上記一対のローラの軸線が互いに重なる方向から見たときの上記ハンドルの中心線と上記軸線とのなす角が９０°〜１５５°であることが好ましい。この場合には、目元や口元などの顔に使用する際に、ハンドルを把持した状態において、肌面に対して一対のローラの軸線が適度に傾斜することとなるため、一対のローラが滑らかに回転して肌の摘み上げ効果が効果的に奏される。その結果、マッサージ効果が向上される。また、肘を上げたり、手首を過度に曲げたりすることなく美容器の往復動作を行うことができるため、操作性に優れる。
【００２１】
上記一対のローラの軸線が互いに重なる方向から見たときの上記ハンドルの中心線と上記軸線とのなす角が１５５°よりも大きい場合は、顔に使用する際に、肌面に対して一対のローラの軸線が過度に傾斜することとなるため、一対のローラを滑らかに回転させることが困難となる。これにより、ローラと肌面との摩擦が大きくなり、肌面に対する負担が増す。そして、かかる負担を軽減するには、ハンドルを把持している手首を大きく捻って肌面に対して一対のローラの軸線の傾斜を適度に保つことが必要となるため、操作性が悪い。
【００２２】
上記一対のローラの軸線が互いに重なる方向から見たときの上記ハンドルの中心線と上記軸線とのなす角が９０°よりも小さい場合は、使用する際に肌面に対する一対のローラの軸線の傾きを変更させたときに、一対のローラが設けられるハンドルの第１端部が肌面に触れることにより、肌に負担をかけるおそれがあり、好ましくない。
【００２３】
上記ハンドルは、上記第１端部から上記第２端部にかけて直線状に形成されていることが好ましい。これにより、目元や口元などの顔に使用する際に、肌面に対してローラが当接する角度の調整がしやすいため、操作性が向上する。また、ハンドルの握りやすさを維持しつつ、美容器全体をコンパクトに形成することができるため、旅行などで持ち運ぶのに適している。
【００２４】
上記美容器は、上記一対のローラに加えて他のローラを備えていてもよい。当該他のローラは、上記一対のローラと同一のローラであってもよいし、異なる態様のローラであってもよい。例えば、上記美容器は上記一対のローラを２組備えて、合計４個のローラを備えていてもよい。
【実施例】
【００２５】
（実施例１）
本例の実施例に係る美容器につき、図１〜図７を用いて説明する。
本例の美容器１は、図１に示すように、ハンドル１０と、一対のローラ２０を含む複数のローラを備える。
【００２６】
一対のローラ２０は、図６に示すように、ハンドル１０の第１端部１１に互いに離隔してそれぞれの軸線Ｌ１、Ｌ２を中心に回転可能に支持されている。そして軸線Ｌ１、Ｌ２はハンドル１０の中心線Ｌ０に対して第１端部１１と反対側の第２端部１２から第１端部１１に向かう方向（図１に示すＹ１方向）に傾斜するように配設されている。
【００２７】
そして、一対のローラ２０の直径ｄは１５〜２０ｍｍであるとともに、一対のローラ２０の外周面２１ａ、２１ｂ間の最短距離Ｗは７ｍｍ以上８ｍｍ未満である。
なお、本例では、複数のローラとして一対のローラ２０のみが備えられており、直径ｄは１８ｍｍであり、最短距離Ｗは７ｍｍである。
【００２８】
以下、本例の美容器１について、詳述する。
図１、図３に示すように、ハンドル１０は棒状を成している。ハンドル１０は、ハンドル本体１３及びハンドルカバー１４を備えている。ハンドル本体１３はＡＢＳ樹脂製であって、クロムメッキが施されている。ハンドル本体１３の長手方向の一端側の第１端部１１には、二股に分かれた分枝部１１ａ、１１ｂが形成されている。ハンドル本体１３は他端側の第２端部１２に向かうにつれて縮径している。そして、ハンドル本体１３は、第１端部１１（分枝部１１ａ、１１ｂのつけ根部）から第２端部１２にかけて直線状に形成されている。ハンドル１０の最も太い部分の直径Ｓは１４〜１８ｍｍとすることができ、本例では１６ｍｍである。
【００２９】
図４、図５に示すように、第１端部１１の分枝部１１ａには、ハンドル本体１３に形成されている後述の凹部１５に連通する軸孔１１ｃが形成されている。軸孔１１ｃには、ブッシュ２３とОリング２５を介してローラシャフト２２が挿通されている。ローラシャフト２２はステンレス製であって、ニッケルメッキが施されており、導電性を有している。
【００３０】
ブッシュ２３はＰＡ（ポリアミド）樹脂製であって絶縁性を有している。図５に示すように、ブッシュ２３は、円筒状のブッシュ本体２３ａと、ブッシュ本体２３ａの端部に鍔状に形成された鍔部２３ｂとを有する。ブッシュ本体２３ａの外形は軸孔１１ｃの内径よりも若干小さく、鍔部２３ｂの外形は軸孔１１ｃの内径よりも大きい。ブッシュ本体２３ａが軸孔１１ｃに嵌装されているとともに、鍔部２３ｂが分枝部１１ａの端部１１ｅに当接している。
【００３１】
そして、分枝部１１ａの先端には、キャップ２４が取り付けられている。キャップ２４は、ＰＡ（ポリアミド）樹脂製であって絶縁性を有している。キャップ２４はその中央に貫通孔２４ａが形成されており、貫通孔２４ａにローラシャフト２２が挿通された状態でキャップ２４の周壁部２４ｂが分枝部１１ａの先端に係合されて固定されている。これにより、キャップ２４と端部１１ｅとの間に鍔部２３ｂが挟持されて、ブッシュ２３が分枝部１１ａに固定されている。
【００３２】
図５に示すように、ローラシャフト２２の一端側（分枝部１１ａ内に位置する側）の端部２２ａは、後述のレンズカバー３３に形成されたシャフト支持台３３ｂに支持されている。シャフト支持台３３ｂには、シャフトホルダー３６が配設されている。シャフトホルダー３６はステンレス製であって導電性を有する。そして、シャフト支持台３３ｂに支持されたローラシャフト２２の端部２２ａは、シャフトホルダー３６に接触されており、ローラシャフト２２とシャフトホルダー３６との通電が図られている。
【００３３】
図５に示すように、ローラシャフト２２の端部２２ａと反対側の端部２２ｂには、ベアリングホルダー２６とＣリング２８を介してベアリング２７ａ、２７ｂが取り付けられている。ベアリング２７ａ、２７ｂはいずれもポリオキシメチレン製の環状部材からなる樹脂ベアリングである。ベアリングホルダー２６はＡＢＳ樹脂製の略円筒状部材である。ベアリング２７ａ、２７ｂはローラシャフト２２に挿通されて、ベアリングホルダー２６とＣリング２８により保持されている。ベアリングホルダー２６の外周面には、ローラ係合爪２６ａが２か所形成されている。ローラシャフト２２はベアリングホルダー２６を軸方向に貫通しており、端部２２ａはベアリングホルダー２６から突出している。そして、端部２２ａにＣリング２８が装着されて、ベアリング２７ａ、２７ｂ及びベアリングホルダー２６の抜け止めと、ベアリング２７ａ、２７ｂへの予圧の付与がなされている。
【００３４】
そして、図５に示すように、ベアリングホルダー２６を覆うように、ローラ２０ａが取り付けられている。ローラ２０ａはＡＢＳ樹脂製であって、プラチナメッキが施されている。ローラ２０ａの形状は中空の略球状であって、分枝部１１ａ側が開口しているとともに、分枝部１１ａ側に若干引き伸ばされた形状を成している。ローラ２０ａの外周面２１ａにはいわゆるダイヤカットが施されている。
【００３５】
ローラ２０ａの内部には、カップ状のローラコア２９が設けられている。ローラコア２９はＡＢＳ樹脂製であって、ローラ２０ａに一体的に形成されている。そして、ローラコア２９の内側には、ベアリングホルダー２６のローラ係合爪２６ａが係合されるホルダ−係合溝２９ａが形成されている。そして、ローラ係合爪２６ａがホルダ−係合溝２９ａに係合されることにより、ローラ２０ａがベアリングホルダー２６に取り付けられる。これにより、ローラ２０ａが第１端部１１の分枝部１１ａに対して、ローラシャフト２２の軸線Ｌ１を中心にして回動可能に取り付けられている。
【００３６】
また、図４に示すように、ローラ２０ｂも、ローラ２０ａと同様の構成によって、第１端部１１の分枝部１１ｂに対して、ローラシャフト２２の軸線Ｌ２を中心にして回動可能に取り付けられている。
【００３７】
図６に示すように、一対のローラ２０（２０ａ、２０ｂ）の直径は１５〜２０ｍｍとすることができ、本例では、１８ｍｍである。そして、一対のローラ２０（２０ａ、２０ｂ）の外周面２１ａ、２１ｂ間の最短距離Ｗは７ｍｍ以上、８ｍｍ未満とすることができ、本例では、７ｍｍである。さらに、一対のローラ２０（２０ａ、２０ｂ）の両軸線Ｌ１、Ｌ２のなす角βは７０〜８０°とすることができ、本例では７４．５°である。なお、軸線Ｌ１、Ｌ２のなす角βは、軸線Ｌ１、Ｌ２を含む平面の法線方向IV（図２参照）から見たときの両者のなす角をいうものとする。
【００３８】
また、軸線Ｌ１、Ｌ２は、図２に示すように、ハンドル１０の中心線Ｌに対して第１端部１１と反対側の第２端部１２から第１端部１１に向かう方向Ｙ１側に傾斜している。そして、図２に示すように、一対のローラの軸線が互いに重なる方向から見たときの中心線Ｌ０と軸線Ｌ２（Ｌ１）とのなす角（側方投影角度）αは９０〜１５５°とすることができ、本例では、１２０°である。
【００３９】
図１に示すように、ハンドル１０の正面側中央部の第１端部１１寄りには窓部１３ａが形成されている。一方、図４に示すように、ハンドル１０の背面側中央部には凹部１５が形成されており、凹部１５は窓部１３ａと連通している。そして、窓部１３ａには、背面側からレンズ３０がはめ込まれている。そして、レンズ３０の背面側には太陽電池パネル３１が配設されている。太陽電池パネル３１には、２個の端子３２が接続されている。
【００４０】
太陽電池パネル３１の背面側にはレンズカバー３３が設けられている。レンズカバー３３には２個の孔３３ａが形成されているとともに、端子３２にもそれぞれ孔３２ａが形成されている。そして、ネジ３４が孔３３ａ、３２ａに挿通されて凹部１５内のボス１５ａに締結されている。これにより、レンズ３０とレンズカバー３３との間に太陽電池パネル３１が介在した状態でレンズ３０、太陽電池パネル３１、端子３２及びレンズカバー３３がハンドル本体１３に固定されている。なお、レンズカバー３３の一端側（ハンドル本体１３の第１端部１１側）には、上述のシャフト支持台３３ｂが形成されている。そして、レンズカバー３３の一端側の孔３３ａとネジ３４を介して、シャフトホルダー３６がシャフト支持台３３ｂに取り付けられている。
【００４１】
そして、凹部１５は、ハンドルカバー１４により覆われている。ハンドルカバー１４は係合爪１４ａを備えており、係合爪１４ａが凹部１５内の係合溝（図示せず）に係合することにより、ハンドルカバー１４はハンドル本体１３に固定されている。なお、レンズ３０とハンドル本体１３との間にはОリング３５ａがそれぞれ介在しており、ハンドルカバー１４とハンドル本体１３との間にはОリング３５ｂが介在している。
【００４２】
太陽電池パネル３１は端子３２を介して、導電性のクロムメッキが施されたハンドル本体１３に電気的に接続されている。さらに、太陽電池パネル３１は導電性材料からなるシャフトホルダー３６、ローラシャフト２２及びベアリングホルダー２６を介して、導電性のプラチナメッキが施された一対のローラ２０（２０ａ、２０ｂ）に電気的に接続されている。これにより、美容器１の使用時にローラ２０の外周面２１ａが肌に接触することにより、ローラ２０とハンドル１０とが人体を介して電気的に接続されることとなる。そして、太陽電池パネル３１が窓部１３ａのレンズ３０を介して受光して発電することにより、ローラ２０の外周面２１ａと肌との間に微弱電流が流れる。その結果、肌への刺激が増し、マッサージ効果が一層高まる。
【００４３】
次に、美容器１の使用態様を説明する。
この美容器１の使用時には、図７に示すように、使用者がハンドル１０を把持した状態で、一対のローラ２０の外周面２１ａ、２１ｂを目元や口元などの狭い部分の肌面５０に押し当てて接触させながら美容器１を第１端部１１方向（図６の矢印Ｐ１の方向）へ移動させると、ローラ２０ａ、２０ｂがそれぞれ軸線Ｌ１、Ｌ２を中心にして矢印Ｐ２方向に回転させられる。このとき、ローラ２０ａ、２０ｂによって肌面に押圧力が加えられる。美容器１をＰ１方向へ移動させた後、元に戻すように美容器１を第２端部１２方向（図６の矢印Ｑ１の方向）へ移動させると、ローラ２０ａ、２０ｂは矢印Ｑ２方向に回転させられる。これにより、図７に示すようにローラ２０ａ、２０ｂ間に位置する肌面５０がローラ２０ａ、２０ｂの回転に伴って巻き上げられるようにして摘み上げられる。
【００４４】
次に、本例の美容器１の作用効果を説明する。
上記美容器１によれば、一対のローラ２０の直径ｄが１５〜２０ｍｍであること（第１条件）、一対のローラ２０の外周面２１ａ、２１ｂ間の最短距離Ｗが７ｍｍ以上８ｍｍ未満であること（第２条件）の両方の条件が満たされている。これにより、一対のローラ２０は目元や口元などの狭い部分の肌を過剰とならない程度に確実に摘み上げるとともに、効果的に押圧することができる。その結果、これらの部分を十分にマッサージすることができる。すなわち、上記第１条件及び第２条件の両方が満たされることによってはじめて、上記部分のマッサージ効果が最大限発揮されることとなる。
【００４５】
また、一対のローラ２０の直径ｄは１８〜１９ｍｍであることが更に好ましく、本例では、１８ｍｍである。これにより、目元や口元などの狭い部分の肌の摘み上げ効果が適度に奏されて、マッサージ効果がより効果的に奏される。
【００４６】
一対のローラの互いの軸線Ｌ１、Ｌ２のなす角βは７０〜８０°であることが好ましく、７４〜７６°であることがさらに好ましい。本例では、軸線Ｌ１、Ｌ２のなす角βは７４．５°である。これによっても、目元や口元などの狭い部分の肌の摘み上げ効果が適度に奏されて、マッサージ効果がより一層効果的に奏される。
【００４７】
また、ハンドル１０は、第１端部１１（分枝部１１ａ、１１ｂのつけ根部）から第２端部１２にかけて直線状に形成されている。これにより、目元や口元などの顔に使用する際に、肌に対してローラ２０が当接する角度の調整がしやすいため、操作性が向上する。また、ハンドル１０の握りやすさを維持しつつ、美容器１全体がコンパクトに形成されるため、旅行などで持ち運ぶのに適している。
【００４８】
また、一対のローラ２０（２０ａ、２０ｂ）は球状に構成されている。これにより、ローラ２０ａ、２０ｂが筒状である場合に比べて、ローラ２０ａ、２０ｂと肌との接触面積が小さくなる。そのため、ローラ２０ａ、２０ｂを、目元や口元などの狭い部分に集中して押圧力や摘み上げ力を作用させることが容易となる。さらに、肌を押圧した状態でもローラ２０ａ、２０ｂをスムーズに移動させることができるため、美容器１の移動方向の変更を容易に行うことができる。これにより、目元や口元などの狭い部分をピンポイントにマッサージすることが容易となる。
【００４９】
ローラ２０ａ、２０ｂの形状は、球形の他に、楕円球形、これらの形状を組み合わせた形状を採用してもよい。また、ローラ２０ａ、２０ｂの表面に、種々の形状による凹凸や突起を設けてもよい。この場合には、当該凹凸や突起によってローラ２０ａ、２０ｂによる肌の摘み上げ効果を一層向上させることができる。また、ローラ２０ａ、２０ｂはそれぞれ単一の部材から構成されていてもよいし、２以上の部材を組み合わせて構成されていてもよい。
【００５０】
なお、美容器１は一対のローラ２０に加えて他のローラを備えていてもよい。当該他のローラは、一対のローラ２０と同一のローラであってもよいし、異なる態様のローラであってもよい。例えば、美容器１は一対のローラ２０を２組備えて、合計４個のローラ２０を備えていてもよい。
【００５１】
また、軸線Ｌ１、Ｌ２は、図２に示すように、ハンドル１０の中心線Ｌ０に対して第１端部１１と反対側の第２端部１２から第１端部１１に向かう方向Ｙ１側に傾斜しているとともに、側方投影角度αは９０〜１５５°に設定されており、本例では１２０°である。これにより、目元や口元などの顔に使用する際に、ハンドル１０を把持した状態において、肌面に対して一対のローラ２０ａ、２０ｂの軸線Ｌ１、Ｌ２が適度に傾斜することとなるため、一対のローラ２０ａ、２０ｂが滑らかに回転して摘み上げ効果が効果的に奏される。その結果、マッサージ効果が向上される。また、肘を過度に上げたり、手首を過度に曲げたりすることなく美容器１の往復動作を行うことができるため、操作性に優れる。また、使用する際に肌面に対する一対のローラ２０ａ、２０ｂの軸線Ｌ１、Ｌ２の傾きを変更させたときに、一対のローラ２０ａ、２０ｂが設けられるハンドルの第１端部１１が肌面に触れることが防止されるため、肌に負担をかけるおそれを低減できる。
【００５２】
また、本例では、ハンドル１０は細い棒状に形成されていることから、例えばハンドル１０を中心線Ｌ０に沿って上下又は左右に分割して、ハンドル１０の内部に各部材を収納する構成とした場合には、ハンドル１０の成形精度や強度が低下したり、各部材がハンドル１０の内部を密閉する作業に手間がかかって美容器１の組み立て作業性が低下したりするおそれがある。しかし、本例では、図４に示すように、ハンドル１０は、その一部（中央部）を凹状にくり抜いて形成された凹部１５内に各部材を配設するとともに、ハンドルカバー１４によって当該凹部１５を覆うことにより各部材を収納する構成を採用している。これにより、ハンドル１０の中心線Ｌ０に沿って上下又は左右に分割した場合に比べて、ハンドル１０の成形精度や強度を高く維持することができるとともに、ハンドルカバー１４によって凹部１５の内部を容易に密閉できることから美容器１の組み立て作業性が向上する。
【符号の説明】
【００５３】
１  美容器
１０  ハンドル
１１  第１端部
１２  第２端部
２０、２０ａ、２０ｂ  ローラ
２１ａ、２１ｂ  外周面
２２  ローラシャフト
３１  太陽電池パネル
Ｌ０  中心線
Ｌ１、Ｌ２  軸線
【図１】
2018086358.tif 000003
【図２】
2018086358.tif 000004
【図３】
2018086358.tif 000005
【図４】
2018086358.tif 000006
【図５】
2018086358.tif 000007
【図６】
2018086358.tif 000008
【図７】
2018086358.tif 000009